(57)【特許請求の範囲】
【請求項１】
像担持体に非接触で対向配置される回転可能な円筒状の回転スリーブと、該回転スリーブ内に回転不能に固定され、複数の磁極を有する固定マグネット体と、を有し、磁性キャリアとトナーとを含む二成分現像剤を担持して表面に磁気ブラシを形成する現像剤担持体と、
該現像剤担持体及び静電潜像が形成される像担持体に対向して配置される回転可能な円筒状の現像スリーブと、該現像スリーブ内に回転不能に固定され、前記現像スリーブと前記現像剤担持体との近接部に配置されるトナー担持体側磁極と、を有し、前記現像剤担持体の磁気ブラシを用いて表面にトナー層が形成されるトナー担持体と、
を備えた現像装置の製造方法であって、
前記固定マグネット体は、前記回転スリーブと前記トナー担持体との近接部に配置される主極を有し、
前記現像スリーブを長手方向の一端側から樹脂材料から成るコート液中にディッピングし、他端側から引き上げるディッピング法によって、前記現像スリーブの外周面に前記現像スリーブのディッピング時における下端側の膜厚が前記現像スリーブの長手方向の中央部分の膜厚よりも厚くなるようなコート層を形成し、
前記主極が前記現像剤担持体の長手方向において磁力勾配を有する場合、前記主極の長手方向において磁力が高い側を前記現像スリーブのディッピング時における上端側に配置し、
前記トナー担持体側磁極が前記現像剤担持体の長手方向において磁力勾配を有する場合、前記トナー担持体側磁極の長手方向において磁力が高い側を前記現像スリーブのディッピング時における上端側に配置することを特徴とする現像装置の製造方法。
【請求項２】
前記主極および前記トナー担持体側磁極の少なくとも一方を構成する磁石は、樹脂材料中に磁性粉を分散させたプラスチックマグネットであることを特徴とする請求項１に記載の現像装置の製造方法。
【請求項３】
前記プラスチックマグネットは射出成型によって成型されており、前記プラスチックマグネットの射出成型時におけるゲート側を、前記現像スリーブのディッピング時における下端側と同じ側に配置することを特徴とする請求項２に記載の現像装置の製造方法。
【請求項４】
前記コート層はアルコール可溶性ナイロンで形成されており、前記コート層中に酸化チタンが分散されていることを特徴とする請求項１乃至請求項３のいずれかに記載の現像装置の製造方法。
【請求項５】
前記現像スリーブは、アルミニウムまたはアルミニウム合金から成る外周面にアルマイト層を形成し、該アルマイト層の表面に前記コート層を形成したことを特徴とする請求項１乃至請求項４のいずれかに記載の現像装置の製造方法。
【発明の詳細な説明】
【技術分野】
【０００１】
本発明は、電子写真方式の画像形成装置に用いられる現像装置及びそれを用いた画像形成装置に関し、特に、トナーと磁性キャリアを含む二成分現像剤を用い、トナー担持体上にトナーのみを担持させて感光体上の静電潜像を現像する現像装置に関するものである。
【背景技術】
【０００２】
従来、電子写真プロセスを用いた画像形成装置における現像方式としては、主として粉末の現像剤が使用され、感光体ドラム等の像担持体上に形成された静電潜像を現像剤によって可視化し、その可視像（トナー像）を記録媒体上に転写した後、定着処理を行うプロセスが一般的である。
【０００３】
現像剤は、トナー及び磁性キャリアから成る二成分現像剤と、非磁性或いは磁性を帯びたトナーのみから成る一成分現像剤とに大別され、二成分現像剤を用いる現像方式としては、磁気ローラー（現像剤担持体）を用いて現像剤を感光体ドラム（像担持体）に対して非接触に設置した現像ローラー（トナー担持体）上に移行させる際に、磁気ローラー上に磁性キャリアを残したまま現像ローラー上に非磁性トナーのみを転移させてトナー薄層を形成し、交流電界によって感光体ドラム上の静電潜像にトナーを付着させる現像方式が知られている。
【０００４】
現像ローラー内部には磁気ローラーに対向する位置に現像ローラー磁極が配置される。一方、磁気ローラー内部には複数の磁極を有する固定マグネット体が配置されており、磁気ローラーに対向する位置には現像ローラー側磁極と異極性の主極が配置される。これにより、磁気ローラーと現像ローラーの対向部分において磁気ブラシが形成される。この磁気ブラシによって磁気ローラーと現像ローラーとの間でトナーの受け渡しが行われる。具体的には、現像に用いられずに残った現像ローラー上のトナー層が剥ぎ取られるとともに、現像ローラー上に新たなトナー層が形成される。
【０００５】
近年、磁気ローラーや現像ローラー内部に配置されるマグネットとして、例えば特許文献１に示すような樹脂材料中に磁性粉を分散させたプラスチックマグネットが使用されている。プラスチックマグネットは、ラバーマグネットと比較して、低容量で高磁力を確保できるという特徴を有する。
【０００６】
このプラスチックマグネットは射出成型により生産されるが、金型構成上の制約を受けて、金型内に樹脂材料を射出する射出ゲートをマグネットの端部に設けるのが一般的である。このとき、樹脂材料中に混合された磁性粉が射出ゲートと反対側（反ゲート側）に偏る傾向にあり、成型されたプラスチックマグネットは、ゲート側に比べて反ゲート側の磁力が高くなる。
【先行技術文献】
【特許文献】
【０００７】
【特許文献１】特開２０１１−１１９７６９号公報
【発明の概要】
【発明が解決しようとする課題】
【０００８】
上述したようなプラスチックマグネットを現像ローラー内部の磁極、或いは磁気ローラー内部の固定マグネット体の主極として用いた場合、磁力の高い方の端部（反ゲート側）においてトナーを引き付ける磁気吸引力が強くなり、現像ローラーからのトナーの剥ぎ取り力も高くなる。そのため、現像ローラーの長手方向においてトナーの剥ぎ取り性能に差が生じ、現像ローラーの回転周期で現像ゴースト（現像履歴）が発生し易くなる。上記のトナーの剥ぎ取り性能の差は、プラスチックマグネットの長手方向における磁力勾配に起因するものであり、製造工程上、この磁力勾配を抑えることは困難である。
【０００９】
本発明は、上記問題点に鑑み、現像剤担持体およびトナー担持体内に配置されるマグネットの磁力勾配に起因するトナーの剥ぎ取り性のバラツキを簡易な構成で抑制できる現像装置及びそれを備えた画像形成装置を提供することを目的とする。
【課題を解決するための手段】
【００１０】
上記目的を達成するために本発明の第１の構成は、現像剤担持体と、トナー担持体と、
を備えた現像装置である。現像剤担持体は、回転可能な円筒状の回転スリーブと、回転スリーブ内に回転不能に固定され、複数の磁極を有する固定マグネット体と、を有し、磁性キャリアとトナーとを含む二成分現像剤を担持して表面に磁気ブラシを形成する。トナー担持体は、現像剤担持体及び静電潜像が形成される像担持体に対向して配置される回転可能な円筒状の現像スリーブと、現像スリーブ内に回転不能に固定され、現像スリーブと現像剤担持体との近接部に配置されるトナー担持体側磁極と、を有し、現像剤担持体の磁気ブラシを用いて表面にトナー層が形成される。固定マグネット体は、回転スリーブとトナー担持体との近接部に配置される主極を有する。現像スリーブは、長手方向の一端側から樹脂材料から成るコート液中にディッピングし、他端側から引き上げるディッピング法によって外周面にコート層を形成したものである。主極およびトナー担持体側磁極の少なくとも一方の長手方向において磁力が高い側に、現像スリーブのディッピング時における上端側が配置されている。
【発明の効果】
【００１１】
本発明の第１の構成によれば、現像剤担持体とトナー担持体との間の距離が広くなる側、即ち現像スリーブのディッピング時の上端側には主極およびトナー担持体側磁極の少なくとも一方の磁力の強い側が配置され、現像剤担持体とトナー担持体との間の距離が狭くなる側、即ち現像スリーブのディッピング時の下端側には主極およびトナー担持体側磁極の少なくとも一方の磁力の弱い側が配置される。その結果、主極およびトナー担持体側磁極の少なくとも一方の磁力勾配によって生じる、トナー担持体から現像剤担持体へのトナーの剥ぎ取り性能の差が、現像スリーブのコート層の膜厚の勾配によって相殺される。従って、トナー担持体の長手方向におけるトナー剥ぎ取り性能の差を解消することができ、トナー担持体の回転周期で発生する現像ゴーストを効果的に抑制可能となる。
【図面の簡単な説明】
【００１２】
【図１】本発明の現像装置８が搭載された画像形成装置１００の概略構成図
【図２】本発明の一実施形態に係る現像装置８の側面断面図
【図３】本発明の現像装置８に用いられる現像ローラー３３の側面断面図
【図４】現像ローラー３３の断面拡大図
【図５】ディッピング法により現像スリーブ３３ａに形成されたコート層４７の膜厚を示す縦断面図
【図６】主極Ｎ１、現像ローラー側磁極３３ｂに用いるプラスチックマグネットの長手方向の磁力分布を示すグラフ
【図７】現像スリーブ３３ａの長手方向位置とコート層４７の膜厚変動との関係を示すグラフ
【図８】実施例２で用いるリング状のベタ画像とハーフトーン画像が連続するテスト画像を示す図
【発明を実施するための形態】
【００１３】
以下、図面を参照しながら本発明の実施形態について説明する。図１は、本発明の一実施形態に係る現像装置８を備えた画像形成装置１００の概略構成図である。図１において、画像形成装置１００（ここでは一例としてデジタル複合機を示す）では、コピー動作を行う場合、後述する画像読取装置６において原稿の画像データを読み取り画像信号に変換する。一方、複合機本体２内の画像形成部３において、帯電ユニット４により図中のＡ方向に回転する感光体ドラム５が一様に帯電され、画像読取装置６で読み取られた原稿画像データに基づく露光ユニット（レーザー走査ユニット等）７からのレーザービームにより感光体ドラム５上に静電潜像が形成され、現像装置８により静電潜像にトナーが付着されてトナー像が形成される。この現像装置８へのトナーの供給はトナーコンテナ９から行われる。
【００１４】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、反転搬送路１６に送られて両面コピーされた後に）、第１排出トレイ１７ａ、第２排出トレイ１７ｂから成る用紙排出部に排出される。
【００１５】
また、感光体ドラム５の表面の残留電荷を除去する除電装置（図示せず）がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像装置８等からなる画像形成部３に繋がっている。
【００１６】
画像形成装置１００の本体上部には、画像読取装置６が配置されている。画像読取装置６は、原稿の画像情報を読み取るものであり、１枚ずつの原稿を手置きで読み取らせる場合には、原稿搬送装置２７を開いて装置本体の上面に設けられたコンタクトガラス６ａ上に原稿を載置し、原稿束から１枚ずつを自動的に読み取らせる場合には、原稿束を、閉じた状態の原稿搬送装置２７の給紙トレイ２７ａ上に載置する。原稿束が給紙トレイ２７ａ上に載置された場合は、当該原稿束から１枚ずつの原稿が自動的に順次コンタクトガラス６ａ上に送り込まれるようになっている。いずれの場合でもコンタクトガラス６ａ上に位置した原稿に、不図示の露光ランプから光が照射され、その反射光は画像光として不図示の反射鏡及び結像レンズ等の光学系を介して光電変換部（ＣＣＤ）へ導かれる。
【００１７】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して二股に分岐し、一方の経路（図１では左方向に分岐する経路）は第２排出トレイ１７ｂに連通するように構成されている。これに対し、他方の経路（図１では下方向に分岐する経路）は反転搬送路１６に連通するように構成されている。
【００１８】
図２は、画像形成装置１００に搭載される本発明の現像装置８の側面断面図である。図２に示すように、現像装置８は、二成分現像剤（以下、単に現像剤ともいう）が収納される現像容器３０を備えており、現像容器３０は仕切壁３０ａによって第１及び第２攪拌室３０ｂ、３０ｃに区画され、第１及び第２攪拌室３０ｂ、３０ｃには図示しないトナーコンテナから供給されるトナー（正帯電トナー）をキャリアと混合して撹拌し、帯電させるための第１攪拌スクリュー３１ａ及び第２攪拌スクリュー３１ｂが回転可能に配設されている。
【００１９】
そして、第１攪拌スクリュー３１ａ及び第２攪拌スクリュー３１ｂによって現像剤が攪拌されつつ軸方向に搬送され、仕切壁３０ａの両端に形成された現像剤通過路（図示せず）を介して第１及び第２攪拌室３０ｂ、３０ｃ間を循環する。図示の例では、現像容器３０は左斜め上方に延在しており、現像容器３０内において第２攪拌スクリュー３１ｂの上方には磁気ローラー３２が配置され、磁気ローラー３２の左斜め上方には現像ローラー３３が対向配置されている。そして、現像ローラー３３は現像容器３０の開口側（図２の左側）において感光体ドラム１ａに対向しており、磁気ローラー３２及び現像ローラー３３は図２の時計回り方向に回転する。
【００２０】
なお、現像容器３０には、第１攪拌スクリュー３１ａと対面してトナー濃度センサー（図示せず）が配置されており、トナー濃度センサーで検知されるトナー濃度に応じて補給装置（図示せず）からトナー補給口３０ｄを介して現像容器３０内にトナーが補給される。
【００２１】
磁気ローラー３２は、非磁性の回転スリーブ３２ａと、回転スリーブ３２ａに内包される複数の磁極を有する固定マグネット体３２ｂで構成されている。本実施形態では、固定マグネット体３２ｂの磁極は、主極Ｎ１、規制極（汲上極）Ｓ１、搬送極Ｎ２、Ｓ２、及び剥離極Ｓ３の５極構成である。磁気ローラー３２と現像ローラー３３とはその対面位置（対向位置）において所定のギャップをもって対向している。本実施形態では、主極Ｎ１として射出成型により成型されたプラスチックマグネットを使用している。
【００２２】
また、現像容器３０には穂切りブレード３４が磁気ローラー３２の長手方向（図２の紙面と垂直な方向）に沿って取り付けられており、穂切りブレード３４は、磁気ローラー３２の回転方向（図２の時計回り方向）において、現像ローラー３３と磁気ローラー３２との対向位置よりも上流側に位置付けられている。そして、穂切りブレード３４の先端部と磁気ローラー３２表面との間には僅かな隙間（ギャップ）が形成されている。
【００２３】
現像ローラー３３は、非磁性の現像スリーブ３３ａと、現像スリーブ３３ａ内に固定された現像ローラー側磁極３３ｂで構成されている。現像ローラー側磁極３３ｂは、固定マグネット体３２ｂの対向する磁極（主極）Ｎ１と異極性（Ｓ極）である。本実施形態では、現像ローラー側磁極３３ｂとして射出成型により成型されたプラスチックマグネットを使用している。
【００２４】
現像ローラー３３及び磁気ローラー３２には、バイアス制御回路（図示せず）を介して現像バイアス電源４３が接続されている。具体的には、現像バイアス電源４３は、現像ローラー３３に接続される直流電源と交流電源から成る第１電源４３ａと、第１電源４３ａと現像ローラー３３の間から分岐して設けられ、磁気ローラー３２に接続される直流電源と交流電源から成る第２電源４３ｂと、を備えており、第１電源４３ａ及び第２電源４３ｂは共通のグランドに接地されている。
【００２５】
これにより、現像ローラー３３には第１電源４３ａから直流電圧に交流電圧を重畳した現像バイアスが印加される。一方、磁気ローラー３２には、供給バイアスとして、第１電源４３ａから印加されるバイアスをベースに、第２電源４３ｂから直流電圧に交流電圧を重畳したバイアスが重畳して印加される。
【００２６】
前述のように、第１攪拌スクリュー３１ａ及び第２攪拌スクリュー３１ｂによって、現像剤が攪拌されつつ現像容器３０内を循環してトナーを帯電させ、第２攪拌スクリュー３１ｂによって現像剤が磁気ローラー３２に搬送される。穂切りブレード３４には固定マグネット体３２ｂの規制極Ｓ１が対向するため、穂切りブレード３４として非磁性体或いは規制極Ｓ１と異なる極性の磁性体を用いることにより、穂切りブレード３４の先端と回転スリーブ３２ａとの隙間に引き合う方向の磁界が発生する。
【００２７】
この磁界により、穂切りブレード３４と回転スリーブ３２ａとの間に磁気ブラシが形成される。そして、磁気ローラー３２上の磁気ブラシは穂切りブレード３４によって層厚規制された後、現像ローラー３３に対向する位置に移動すると、固定マグネット体３２ｂの主極Ｎ１及び現像ローラー側磁極３３ｂにより引き合う磁界が付与されるため、磁気ブラシは現像ローラー３３表面に接触する。そして、磁気ローラー３２に印加されるＶｍａｇ（ＤＣ）と現像ローラー３３に印加されるＶｓｌｖ（ＤＣ）との電位差ΔＶ、及び磁界によって現像ローラー３３上にトナー薄層を形成する。
【００２８】
現像ローラー３３上のトナー層厚は現像剤の抵抗や磁気ローラー３２と現像ローラー３３との回転速度差等によっても変化するが、ΔＶによって制御することができる。ΔＶを大きくすると現像ローラー３３上のトナー層は厚くなり、ΔＶを小さくすると薄くなる。現像時におけるΔＶの範囲は一般的に１００Ｖ〜３５０Ｖ程度が適切である。
【００２９】
次に、本発明の現像装置１４に用いられる現像ローラー３３について説明する。図３は、現像ローラー３３の側面断面図であり、図４は、現像ローラー３３の断面拡大図（図３におけるＸＸ′矢視断面図）である。現像ローラー３３は、アルミニウムまたはアルミニウム合金製の現像スリーブ３３ａの外周面にアルマイト層（アルミニウムの酸化被膜）４５が形成されており、アルマイト層４５の表面にはアルコール可溶性ナイロン樹脂からなるコート層４７が積層されている。なお、図３及び図４では現像スリーブ３３ａ内の現像ローラー側磁極３３ｂは記載を省略している。
【００３０】
次に、現像ローラー３３の製造方法について説明する。先ず、アルミニウムまたはアルミニウム合金製の円筒を切削、研磨等により所定の外径寸法の現像スリーブ３３ａに仕上げた後、酸水溶液中で陽極酸化処理を行うことにより表面にアルマイト層４５を形成する。アルマイト層４５は、中心に微細孔を有する六角柱状のセルの集合体であり、微細孔の底面がアルミ素地との界面（バリア層）となる。アルマイト層４５は、現像ローラー３３へ現像バイアスを印加する際のリークの発生を防止する。
【００３１】
アルマイト層４５が厚すぎると、現像ローラー３３全体の抵抗が大きくなって高電圧の現像バイアスを印加する必要が生じる。一方、アルマイト層４５が薄すぎると、アルマイト層を均一に形成することができずリークが発生するおそれがある。従って、アルマイト層４５の層厚は１０μｍ〜２０μｍ程度が好ましい。
【００３２】
その後、アルマイト層４５の表面を熱処理する。この熱処理は、後述するコート層４７の乾燥工程の前に予めアルマイト層４５にクラックを生じさせておくことで、乾燥工程においてアルマイト層４５及びコート層４７にクラックを生じさせないようにするものである。熱処理時間は、例えば乾燥工程に要する時間以上（例えば１２０℃で１０分以上）の一定時間に定められており、全ての現像スリーブ３３ａに対して概ね一定量のクラックが生じる。
【００３３】
熱処理の後、アルマイト層４５の表面にコート層４７を形成する。コート層４７は、現像スリーブ３３ａ上に供給されたトナーのアルマイト層４５への固着を抑制する。さらに、コート層４７が現像剤に与える機械的ストレスは金属表面に比べて少ないため、現像剤搬送量を増加させたときの現像ローラー３３からのトナー回収性の向上と現像剤の劣化防止との両立を図ることができる。
【００３４】
コート層４７の材質としては、ナイロン樹脂、ウレタン樹脂、アクリル樹脂、メラミン樹脂、シリコン樹脂、フッ素樹脂等が挙げられるが、正帯電トナーの樹脂材料と帯電性が近く、トナーの剥離性が良好であるとともに、後述するディッピング法によるコーティングが可能なアルコール可溶性ナイロン樹脂が好ましい。
【００３５】
なお、コート層４７には抵抗調整剤として誘電率１０以上の導電材を含有させて、コート層４７の体積抵抗値を調整し、且つ抵抗ムラを抑制している。抵抗調整剤としてはカーボンブラックや酸化チタン、繊維形状のチタン酸カリウム等が挙げられる。これにより、トナー層の帯電状態の安定化とトナー回収時における剥離性の向上を図ることができる。コート層４７の体積抵抗値としては、現像ローラー３３表面の残留電荷を適度に滞留可能な１０4〜１０8Ω程度が好ましい。
【００３６】
本発明では、コート層４７をディッピング法により形成する。具体的には、アルマイト層４５が形成された現像スリーブ３３ａを一端側からコート液中にディッピングし、他端側から引き上げる。その後、コート液がコーティングされた現像スリーブ３３ａを所定温度で所定時間（例えば１３０℃で１０分）乾燥させる乾燥工程を行い、膜厚が約２〜１１μｍのコート層４７を形成する。
【００３７】
上記のディッピング法でコート層４７を作成した現像ローラー３３は、図５に示すように、ディッピング時の下端側（図５の左端）が現像ローラー３３の長手方向の中央部分よりもコート層４７の膜厚が厚くなる傾向にある。つまり、ディッピング時の下端側では現像ローラー３３の外径が大きくなるため、現像装置８に装着したとき磁気ローラー２２と現像ローラー３３との間（以下、ＭＳ間という）の距離が近くなる。その結果、現像ローラー３３はディッピング時の下端側において、現像ローラー３３側から磁気ローラー２２側へトナーを剥ぎ取る力が強くなり、上端側でトナーを剥ぎ取る力が弱くなる。
【００３８】
一方、固定マグネット体３２ｂの主極Ｎ１、現像ローラー側磁極３３ｂとして、射出成型で成型されたプラスチックマグネットを用いる場合、長手方向の磁力分布に偏りが発生する。図６は、主極Ｎ１、現像ローラー側磁極３３ｂに用いるプラスチックマグネットの長手方向の磁力分布を示すグラフである。図６に示すように、射出成型で成型されたプラスチックマグネットでは、長手方向のゲート側の端部に比べて反ゲート側の端部で磁力が高くなる磁力勾配が生じる。
【００３９】
このプラスチックマグネットを主極Ｎ１、および現像ローラー側磁極３３ｂ磁極として用いた場合、磁力の高い側の端部（反ゲート側）においてトナーを引き付ける磁気吸引力が強くなるため、反ゲート側に対向する部分では現像ローラー３３側から磁気ローラー２２側へトナーを剥ぎ取る力が強くなる。一方、磁力の低い側の端部（ゲート側）において磁気吸引力が弱くなるため、ゲート側に対向する部分では現像ローラー３３側から磁気ローラー２２側へトナーを剥ぎ取る力が弱くなる。
【００４０】
そこで、本発明では、射出成型されたプラスチックマグネットを固定マグネット体３２ｂの主極Ｎ１、現像ローラー側磁極３３ｂとして用いる場合、ディッピング法によってコート層４７が形成された現像ローラー３３の、ディッピング時の下端側（図６の左端）にプラスチックマグネットの磁力が低い側（ゲート側）を配置するようにした。即ち、プラスチックマグネットの磁力が低い側においてコート層４７の膜厚が大きくなり、磁力が高い側においてコート層４７の膜厚が小さくなるように現像スリーブ３３ａと主極Ｎ１、現像ローラー側磁極３３ｂの方向を規定した。
【００４１】
これにより、ＭＳ間の距離が広くなる側、即ち現像ローラー３３のディッピング時の上端側には主極Ｎ１、現像ローラー側磁極３３ｂの磁力の強い側が配置され、ＭＳ間の距離が狭くなる側、即ち現像ローラー３３のディッピング時の下端側には主極Ｎ１、現像ローラー側磁極３３ｂの磁力の弱い側が配置される。その結果、主極Ｎ１、および現像ローラー側磁極３３ｂの磁力勾配によって生じるトナーの剥ぎ取り性能の差が、現像スリーブ３３ａのコート層４７の膜厚の勾配によって相殺される。従って、現像ローラー３３の長手方向におけるトナー剥ぎ取り性能の差を解消することができ、現像ローラー３３の回転周期で発生する現像ゴーストを効果的に抑制可能となる。
【００４２】
その他本発明は、上記実施形態に限定されず、本発明の趣旨を逸脱しない範囲で種々の変更が可能である。例えば上記実施形態においては、現像ローラー側磁極３３ｂと固定マグネット体３２ｂの主極Ｎ１の両方にプラスチックマグネットを用い、プラスチックマグネットの磁力の低い側（ゲート側）と現像ローラー３３のディッピング時における下端側とを対向させるようにしたが、現像ローラー側磁極３３ｂと固定マグネット体３２ｂの主極Ｎ１のいずれか一方にプラスチックマグネットを用いる構成においても同様に適用可能である。
【００４３】
また本発明は、図１に示したモノクロ複合機に限らず、例えばモノクロプリンターやタンデム型のカラープリンター、カラー複合機やファクシミリ等の、他の画像形成装置にも適用できる。以下、実施例により本発明の効果について更に具体的に説明する。
【実施例１】
【００４４】
（現像スリーブの作製）
直径２０ｍｍのアルミニウム素管から成る現像スリーブ３３ａの外周面にアルマイト処理を施して、厚さ１０μｍのアルマイト層４５を形成し、アルマイト層４５の表面を１２０℃で１０分以上熱処理した。一方、結着樹脂としてアルコール可溶性ナイロン樹脂（ＣＭ８０００、東レ製）１００重量部、導電材として酸化チタン（ＥＴ−３００Ｗ、石原産業製）１００重量部、および分散媒としてメタノール８００重量部を、ボールミル（φ１ｍｍのジルコニアビーズ）にて４８時間混合、分散させてコート液を調製した。次いで、アルマイト処理された現像スリーブ３３ａを、円筒形状の軸方向が鉛直方向に沿うように一端側からコート液中にディッピング（浸漬）し、他端側から引き上げた後、１３０℃で１０分間乾燥させて、アルマイト層４５の表面に膜厚が約２〜１１μｍのコート層４７を形成した。
【実施例２】
【００４５】
（現像ゴーストの評価）
実施例１で作製した現像スリーブ３３ａ内に、現像ローラー側磁極３３ｂとして射出成型により成型されたプラスチックマグネット、或いは押し出し成型により成型されたゴム磁石を配置して現像ローラー３３を作製した。また、固定マグネット体３２ｂの主極Ｎ１として射出成型により成型されたプラスチックマグネットを配置して磁気ローラー３２を作製した。
【００４６】
なお、固定マグネット体３２ｂの主極Ｎ１に用いられるプラスチックマグネットのゲート側の磁力は９０ｍＴ、反ゲート側の磁力は９５ｍＴである。また、現像ローラー側磁極３３ｂに用いられるプラスチックマグネットのゲート側の磁力は４０ｍＴ、反ゲート側の磁力は４３ｍＴである。また、現像スリーブ３３ａの長手方向位置とコート層４７の膜厚変動との関係を図７に示す。
【００４７】
これらの磁気ローラー３２及び現像ローラー３３を用いて、現像スリーブ３３ａのディッピングの上端及び下端の方向と、プラスチックマグネットのゲート方向との組み合わせを変化させて現像装置８（図２参照）を作製した。これらの現像装置８を図１に示したような試験機に搭載し、図８に示したようなリング状のベタ画像Ｂとハーフトーン画像Ｈが連続するテスト画像を出力し、現像ゴーストの発生を目視により観察した。
【００４８】
評価方法は、現像ゴーストの発生が非常に気になる場合をランク１、現像ゴーストの発生が気になる場合をランク２、現像ゴーストの発生が少し気になる場合をランク３、現像ゴーストが僅かに発生しているが気にならない場合をランク４、現像ゴーストが発生していない場合をランク５とし、ランク１〜３をＮＧ（不可）、ランク４、５をＯＫ（可）とした。評価結果を現像スリーブ３３ａのディッピングの上端及び下端の配置、プラスチックマグネットのゲート位置と併せて表１に示す。
【００４９】
【表１】
0006331911.tif 000002
※１：ウレタン樹脂をスプレーコートした現像スリーブを使用
※２：押し出し成型により成型されたゴム磁石を使用
【００５０】
表１から明らかなように、主極Ｎ１としてプラスチックマグネットを用い、現像スリーブ３３ａのディッピング時における下端側と主極Ｎ１のゲート側（磁力の低い側）とを同方向に配置した実施例１、２では、現像ゴーストは実用上問題のないランク４であった。現像ローラー側磁極としてプラスチックマグネットを用い、現像スリーブ３３ａのディッピング時における下端側と現像ローラー側磁極のゲート側（磁力の低い側）とを同方向に配置した実施例３、４についても同様の結果であった。
【００５１】
さらに、主極Ｎ１及び現像ローラー側磁極の両方にプラスチックマグネットを用い、現像スリーブ３３ａのディッピング時における下端側と主極Ｎ１及び現像ローラー側磁極のゲート側（磁力の低い側）とを同方向に配置した実施例５、６では、現像ゴーストが発生しないランク５であった。
【００５２】
これに対し、ウレタン樹脂をスプレーコートした現像スリーブ３３ａを用い、主極Ｎ１及び現像ローラー側磁極の両方にゴム磁石を用いた比較例１では、画像の幅方向全域において現像ゴーストの発生が非常に気になるランク１であった。また、主極Ｎ１及び現像ローラー側磁極の少なくとも一方にプラスチックマグネットを用い、現像スリーブ３３ａのディッピング時における上端側と主極Ｎ１及び現像ローラー側磁極のゲート側（磁力の低い側）とを同方向に配置した比較例２〜７では、画像のゲート側（磁力の低い側）に現像ゴーストの発生が気になるランク２、或いは現像ゴーストの発生が少し気になるランク３であった。
【産業上の利用可能性】
【００５３】
本発明は、現像剤担持体上の磁気ブラシを用いてトナー担持体上にトナーのみを移動させ、トナー担持体から像担持体にトナーを飛翔させる非接触現像方式の現像装置に利用可能である。本発明の利用により、現像剤担持体およびトナー担持体内に配置されるマグネットの磁力勾配に起因するトナーの剥ぎ取り性のバラツキを簡易な構成で抑制できる現像装置及びそれを備えた画像形成装置を提供することができる。
【符号の説明】
【００５４】
５              感光体ドラム（像担持体）
８              現像装置
３０            現像容器
３２            磁気ローラー（現像剤担持体）
３２ａ          回転スリーブ
３２ｂ          固定マグネット体
３３            現像ローラー（トナー担持体）
３３ａ          現像スリーブ
３３ｂ          現像ローラー側磁極（トナー担持体側磁極）
３４            穂切りブレード
４３            現像バイアス電源（電圧印加装置）
４３ａ          第１電源
４３ｂ          第２電源
４５            アルマイト層
４７            コート層
１００          画像形成装置
Ｎ１            主極
【図１】
0006331911.tif 000003
【図２】
0006331911.tif 000004
【図３】
0006331911.tif 000005
【図４】
0006331911.tif 000006
【図５】
0006331911.tif 000007
【図６】
0006331911.tif 000008
【図７】
0006331911.tif 000009
【図８】
0006331911.tif 000010